(57)【要約】不連続伝送（ＤＴＸ）検出を使用するブラインド・トランスポート・フォーマット検出のための方法および装置が提供される。本発明の１つの態様によれば、情報を伝送するために使用されたトランスポート・フォーマットは、伝送された情報に含まれる不連続伝送セグメントとデータ・セグメント間の遷移を識別することによって判別され、トランスポート・フォーマットを判別することは、不連続伝送セグメントの遷移の位置に基づく。巡回冗長検査は、複数の可能なトランスポート・フォーマットに対してオプションで実行することができ、次いで、遷移を識別するステップは、有効な巡回冗長検査を有するトランスポート・フォーマットに限定することができる。
2009539309.tif 000002
【特許請求の範囲】
【請求項１】
情報を伝送するために使用されるトランスポート・フォーマットを判別するための方法であって、
前記伝送された情報に含まれる不連続伝送セグメントとデータ・セグメント間の遷移を識別するステップと、
前記不連続伝送セグメントの前記遷移の位置に基づいて前記トランスポート・フォーマットを判別するステップとを備える方法。
【請求項２】
前記識別するステップはさらに前記不連続伝送セグメントのサイズを判別するステップから成り、前記判別するステップは前記サイズに基づく請求項１に記載の方法。
【請求項３】
前記識別するステップはさらに、参照セグメントのエネルギーと相対的な前記データ・セグメントに関連付けられているエネルギーを判別するステップから成り、前記判別するステップは前記データ・セグメントに関連付けられている前記エネルギーに基づく請求項１に記載の方法。
【請求項４】
前記伝送された情報は伝送されたフレームである請求項１に記載の方法。
【請求項５】
さらに複数の可能なトランスポート・フォーマットの巡回冗長検査を評価するステップを含み、前記識別するステップは、有効な巡回冗長検査を有するトランスポート・フォーマットに限り実行される請求項１に記載の方法。
【請求項６】
前記識別するステップは有効な巡回冗長検査を有するトランスポート・フォーマットに対して実行され、ＤＴＸアドレスの先頭は、有効な巡回冗長検査を有する前記トランスポート・フォーマットの各々について判別される請求項１に記載の方法。
【請求項７】
パンクチャが採用される場合、さらに前記情報の基底アドレスを更新するステップから成る請求項１に記載の方法。
【請求項８】
情報を伝送するために使用されるトランスポート・フォーマットを判別するためのシステムであって、
メモリと、
前記メモリに結合された少なくとも１つのプロセッサであって、
前記伝送された情報に含まれる不連続伝送セグメントとデータ・セグメント間の遷移を識別して、
前記不連続伝送セグメントの前記遷移の位置に基づいて前記トランスポート・フォーマットを判別するように動作するプロセッサとを備えるシステム。
【請求項９】
前記プロセッサはさらに、前記不連続伝送セグメントのサイズを判別するように構成され、前記判別するステップは前記サイズに基づく請求項８に記載のシステム。
【請求項１０】
前記プロセッサはさらに、参照セグメントのエネルギーと相対的な前記データ・セグメントに関連付けられているエネルギーを判別するように構成され、前記判別は前記データ・セグメントに関連付けられている前記エネルギーに基づく請求項８に記載のシステム。
【請求項１１】
前記伝送された情報は伝送されたフレームである請求項８に記載のシステム。
【請求項１２】
前記プロセッサはさらに、複数の可能なトランスポート・フォーマットの巡回冗長検査を評価するように構成され、前記識別は、有効な巡回冗長検査を有するトランスポート・フォーマットに限り実行される請求項８に記載のシステム。
【請求項１３】
前記識別は有効な巡回冗長検査を有するトランスポート・フォーマットに対して実行され、ＤＴＸアドレスの先頭は、有効な巡回冗長検査を有する前記トランスポート・フォーマットの各々について判別される請求項８に記載のシステム。
【請求項１４】
前記プロセッサはさらに、パンクチャが採用される場合、前記情報の基底アドレスを更新するように構成される請求項８に記載のシステム。
【請求項１５】
情報を伝送するために使用されるトランスポート・フォーマットを判別するための方法であって、
複数の可能なトランスポート・フォーマットの巡回冗長検査を評価するステップと、
有効な巡回冗長検査を有するトランスポート・フォーマットの前記伝送された情報に含まれる不連続伝送セグメントとデータ・セグメント間の遷移を識別するステップと、
前記不連続伝送セグメントの前記遷移の位置に基づいて前記トランスポート・フォーマットを判別するステップとを備える方法。
【請求項１６】
前記識別するステップは、さらに前記不連続伝送セグメントのサイズを判別するステップから成り、前記判別するステップは前記サイズに基づく請求項１５に記載の方法。
【請求項１７】
前記識別するステップは、さらに参照セグメントのエネルギーに対して前記データ・セグメントに関連付けられているエネルギーを判別するステップから成り、前記判別するステップは前記データ・セグメントに関連付けられている前記エネルギーに基づく請求項１５に記載の方法。
【請求項１８】
前記伝送された情報は伝送されたフレームである請求項１５に記載の方法。
【請求項１９】
ＤＴＸアドレスの先頭は、有効な巡回冗長検査を有する前記トランスポート・フォーマットの各々について判別される請求項１５に記載の方法。
【請求項２０】
パンクチャが採用される場合、前記情報の基底アドレスを更新するステップをさらに含む請求項１５に記載の方法。
【発明の詳細な説明】
【技術分野】
【０００１】
本発明は、通信技法に関し、さらに詳細には、通信システムにおいてトランスポート・フォーマットを検出する技法に関する。
【背景技術】
【０００２】
通信ネットワークは、加入者のユーザ機器（ＵＥ）の間で、音声、ビデオ、および遠隔測定などの情報を転送する。ブロードバンド・インターネット・データ、ブロードキャスト・サービス、およびネットワーク制御データのような情報は、ネットワーク自体と加入者ＵＥとの間で転送することができる。広帯域符号分割多元接続（ＷＣＤＭＡ；Ｗｉｄｅｂａｎｄ  Ｃｏｄｅ  Ｄｉｖｉｓｉｏｎ  Ｍｕｌｔｉｐｌｅ  Ａｃｃｅｓｓ）、符号分割多元接続（第三世代携帯電話／無線技術）（ＣＤＭＡ２０００；Ｃｏｄｅ  Ｄｉｖｉｓｉｏｎ  Ｍｕｌｔｉｐｌｅ  Ａｃｃｅｓｓ）、およびＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ，  Ｉｎｃ．（ＷｉＭＡＸ）など多くの既存のネットワークは、ＩＥＥＥ８０２．１６無線ブロードバンド規格に従って、複数のそのような情報サービスの並列操作をサポートする。そのようなサポートのため、およびネットワーク容量の最適化のため、これらのネットワークは、急速に変化するデータ転送速度で情報を転送することができる必要がある。ネットワークはまた、さまざまなサービスを、物理チャネル上で結合された情報を転送するために使用される単一の物理データ・ストリームに結合することができる必要もある。
【０００３】
トランスポート層は通常、異なる速度のデータを組み合わせる。情報サービスとデータ転送速度の組み合わせは、急速に変化する。そのため、送信機は、高速で受信機に変化を通知する必要がある。多くのシステムは、現在転送されているデータのサービス組み合わせフォーマットおよびデータ転送速度を記述する追加のヘッダを伝送されるデータに添付する。この追加は、必然的に、オーバーヘッドを増大させる。
【０００４】
たとえば、ＷＣＤＭＡ（ＵＭＴＳ）において、各サービスはトランスポート・チャネル（ＴｒＣＨ）に関連している。ＴｒＣＨを、物理データ・ストリーム符号化複合トランスポート・チャネル（ＣＣＴｒＣＨ）に結合するために使用されるサービス組み合わせおよびデータ転送速度選択フォーマットは、トランスポート・フォーマット・コンビネーション（ＴＦＣ）と呼ばれる。トランスポート・フォーマット・コンビネーション・インジケータ（ＴＦＣＩ）は、どのＴＦＣが選択されているかを指示するためにデータの各フレームに添付される。受信機は、ＴＦＣＩを使用して、さまざまなサービスへのデータの復号化および分離のためのフォーマットを選択する。このプロセスは、ＴＦＣＩシグナリングと呼ばれる。
【０００５】
ＴＦＣＩシグナリングに必要とされる帯域幅を節約するために、数多くの技法が提案または示唆されてきた。たとえば、ブラインド・トランスポート・フォーマット検出（ＢＴＦＤ；Ｂｌｉｎｄ  Ｔｒａｎｓｐｏｒｔ  Ｆｏｒｍａｔ  Ｄｅｔｅｃｔｉｏｎ）方式が、「Ｍｕｌｔｉｐｌｅｘｉｎｇ  ａｎｄ  Ｃｈａｎｎｅｌ  Ｃｏｄｉｎｇ（ＦＤＤ）」、３ｒｄ  Ｇｅｎｅｒａｔｉｏｎ  Ｐａｒｔｎｅｒｓｈｉｐ  Ｐｒｏｊｅｃｔ、Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ、３ＧＰＰ  ＴＳ  ２５．２１２  Ｖ４．５．０（２００２−０６）において導入された。この開示されているブラインド・トランスポート・フォーマット検出方式は、ブラインド・アルゴリズムによりＴＦＣを検出する。
【０００６】
ブラインド・トランスポート・フォーマット検出方式は、３つのタイプのＴｒＣＨ検出、つまり、単一、明示的、および誘導トランスポート・チャネルフォーマット検出を実行する必要がある。単一トランスポート・フォーマット検出のＴｒＣＨは、１つ以上のトランスポート・ブロックで多くとも１つのトランスポート・フォーマットしか含まず、誘導検出を使用しないトランスポート・セットを有する。１つ以上のトランスポート・ブロックを備えるトランスポート・フォーマットは、ゼロ以外の長さのＣＲＣを有する必要がある。エネルギー検出および巡回冗長検査（ＣＲＣ）は、単一トランスポート・フォーマット検出のＴｒＣＨがＣＣＴｒＣＨの唯一のＴｒＣＨである場合、このＴｒＣＨによって伝送されたトランスポート・フォーマットをブラインドに検出するために使用される。
【０００７】
明示的および誘導トランスポート・フォーマット検出のＴｒＣＨは、２つ以上のトランスポート・フォーマットを有し、単一検出を使用しない非シグナルＴｒＣＨである。明示的検出のＴｒＣＨは、伝送時間間隔（ＴＴＩ）ごとに少なくとも１つのブロックを伝送させる必要がある。明示的検出のＴｒＣＨの各ブロックは、ゼロ以外のＣＲＣが付加される。誘導検出は、明示的検出のＴｒＣＨに関連付けられているゼロ長ＣＲＣと共にＴｒＣＨで使用される。明示的検出のＴｒＣＨのトランスポート・フォーマットを検出することにより、関連する誘導検出のＴｒＣＨのトランスポート・フォーマットもまた決定される。
【非特許文献１】“Ｍｕｌｔｉｐｌｅｘｉｎｇ  ａｎｄ  Ｃｈａｎｎｅｌ  Ｃｏｄｉｎｇ（ＦＤＤ），”  ３ｒｄ  Ｇｅｎｅｒａｔｉｏｎ  Ｐａｒｔｎｅｒｓｈｉｐ  Ｐｒｏｊｅｃｔ，  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ，  ３ＧＰＰ  ＴＳ  ２５．２１２  Ｖ４．５．０（２００２−０６）
【発明の開示】
【発明が解決しようとする課題】
【０００８】
明示的および単一検出を実行するため、ＣＲＣは、すべての可能なトランスポート・フォーマット・コンビネーションについて検査される。有効なＴＦＣ（トランスポート・フォーマット・コンビネーション）は、ＣＲＣがその組み合わせを使用するＣＣＴｒＣＨのすべてのＴｒＣＨについて有効であった場合に選択される。しかし、この技法は、統計的には、すべてのＴｒＣＨのＣＲＣ検査が、伝送されていないＴＦＣに対して誤って有効となることもあるので、ＴＦＣの誤検出をもたらす可能性もある。したがって、誤検出の問題を回避するブラインド・トランスポート・フォーマット検出方式が必要とされている。
【課題を解決するための手段】
【０００９】
一般に、不連続伝送検出を使用するブラインド・トランスポート・フォーマット検出のための方法および装置が提供される。本発明の１つの態様によれば、情報を伝送するために使用されたトランスポート・フォーマットは、伝送された情報に含まれる不連続伝送セグメントとデータ・セグメント間の遷移を識別することによって判別され、トランスポート・フォーマットを判別することは、不連続伝送セグメントの遷移の位置に基づく。
【００１０】
たとえば、不連続伝送セグメントのサイズは識別することができ、トランスポート・フォーマットは、サイズに基づいて判別することができる。さらなる変形において、参照セグメントのエネルギーと相対的なデータ・セグメントに関連付けられているエネルギーが判別され、トランスポート・フォーマットは、データ・セグメントに関連付けられているエネルギーに基づいて判別されてもよい。
【００１１】
巡回冗長検査は、複数の可能なトランスポート・フォーマットに対してオプションで実行することができ、次いで、遷移を識別するステップは、有効な巡回冗長検査を有するトランスポート・フォーマットに限定することができる。たとえば、ＤＴＸアドレスの先頭は、有効な巡回冗長検査を有するトランスポート・フォーマットの各々について判別することができる。
【００１２】
本発明のさらに深い理解、および本発明のさらなる特徴および利点は、以下の詳細な説明および図面を参照することにより得られるであろう。
【発明を実施するための最良の形態】
【００１３】
本発明は、不連続伝送（ＤＴＸ）検出技法を使用することによりＴＦＣの誤検出を回避するブラインド・トランスポート・フォーマット検出の方法および装置を提供する。本明細書において使用される「不連続伝送（Ｄｉｓｃｏｎｔｉｎｕｏｕｓ  Ｔｒａｎｓｍｉｓｓｉｏｎ）」または「ＤＴＸ」は、任意の一時的な状況に適用するものとし、ここで送信側は、特定のユーザに対して、データの伝送またはペイロードと相対的に、より低い電力レベルで伝送する。通常、送信側は、ＤＴＸを伝送する場合、特定のユーザに対して電力を伝送することはない。さまざまなシステムまたはさまざまなシナリオのもとに、ＤＴＸを使用するさまざまな理由があるが（たとえば、節電する、他のユーザにもたらす干渉を軽減する、および伝送されるビットの数を減らすなど）、当業者には明らかとなるであろうように、ＤＴＸにより本発明は、トランスポート・フォーマットを判別することができる。
【００１４】
生き残りパスにおいてパス−メトリック値を使用するブラインド・トランスポート・フォーマット検出
ＴＦＣの誤検出を回避するために、ＣＣＴｒＣＨにおけるＴｒＣＨの各々の検出の妥当性を検査する追加の操作が必要とされる。前述の３ＧＰＰ  ＴＳ  ２５．２１２  Ｖ４．５．０仕様では、各ＴｒＣＨのビタビ復号の生き残りパスにおいてパス−メトリック値を使用することを推奨する。ゼロ状態のパス−メトリック値と、残りの状態の最小値および最大値は、以下の方法でビタビ復号の分散を計算するために使用される。
【００１５】
【数１】
2009539309.tif 000003
ここでｉは検出されたＴｒＣＨのＴＦＩであり、Ｓ（ｉ）はビタビ復号の分散であり、ａ０（ｉ）はゼロのパス−メトリック値であり、ａｍｉｎ（ｉ）は残りのパス−メトリック値の最小値であり、ａｍａｘ（ｉ）は残りのパス−メトリック値の最大値である。
【００１６】
トランスポート・フォーマットの検出は、Ｓ（ｉ）の値が事前定義されたしきい値Ｄよりも大きい場合に、有効であると見なされる。一般に、最大分散を備えるトランスポート・フォーマットは、ＣＲＣ検査を通過するすべてのＴｒＣＨから選択され、上記の方法に従って有効であると見なされる。
【００１７】
この方法は、ビタビ・デコーダのパス−メトリックへのアクセスが使用できる限り、適用可能である。しかし、これは、さまざまなコアおよびコプロセッサから成る３Ｇチップを内蔵する場合、必ずしも保証されるわけではない。また、ビタビ・デコーダ設計におけるパス−メトリックのアクセスの追加は、必然的に、シリコン・ボリュームの増大を必要とする。加えて、この方法は、ゼロブロック・トランスポート・フォーマットが存在し、ビタビ復号段階を通過しないという、完全なソリューションを単一のトランスポート・フォーマット検出のＴｒＣＨに供給するものではない。
【００１８】
ＤＴＸ検出を使用するブラインド・トランスポート検出
本発明は、ＤＴＸ検出技法を使用することによりＴＦＣの誤検出を回避するブラインド・トランスポート・フォーマット検出の方法および装置を提供する。本発明は、アクセス可能なメモリ・コンポーネントからエネルギー関連の情報を獲得して、格納されているデータの処理を容易にすることにより、ＴＦＣの誤検出を回避する方法を提供する。１つの例示的な実施形態において、ＴＦＣの誤検出は、第１のデインターリーバからエネルギー関連の情報を獲得することにより達成される。第１のデインターリーバはメモリ・コンポーネントであるので、これにはアクセスすることができ、格納されているデータが処理されるようにすることができる。以下でさらに説明されるように、エネルギー情報は、データからＤＴＸへの遷移点を識別できるようにし、それによりトランスポート・フォーマットへの１対１のマッピングが可能になる。
【００１９】
図１は、第１のインターリーバ１００の例示的なメモリ・セグメンテーションを示す。第１のデインターリーバ１００の例示的なメモリ・セグメンテーションは、たとえば、上記の３ＧＰＰ  ＴＳ  ２５．２１２  Ｖ４．５．０仕様に記述されているように具現されてもよい。図１に示されるように、第１のデインターリーバは、セグメント１１０−０のような、指定され、事前定義されたメモリ・セグメントにＴｒＣＨごとのデータの完全なＴＴＩを格納する。ＴｒＣＨに対して最大サイズのトランスポート・フォーマットが受信された場合、第１のデインターリーバ１００のその指定されたメモリ・セグメント１１０全体が（ＤＴＸなしで）満たされる。しかし、任意の他のトランスポート・フォーマットが受信された場合、メモリ・セグメントは、データおよびＤＴＸパディングで満たされる。ＤＴＸパディングは、メモリ・セグメント１１０でＴｒＣＨの各受信フレームの最後に格納される。最小トランスポート・フォーマットはゼロ以外のＣＲＣを有する必要があるので、フレームの先頭には常に非ＤＴＸデータがある。
【００２０】
本発明は、ＤＴＸセグメントのサイズがトランスポート・フォーマットに１対１のマッピングを有する（３ＧＰＰ仕様において固定位置（Ｆｉｘｅｄ  Ｐｏｓｉｔｉｏｎ）モードとして定義される状態）ことを認識する。図１に示されるような、パンクチャによる圧縮モードを使用する場合、ｐ−ビットは、圧縮されるＴｒＣＨのフレームの第１ビットに置き換わる。固定位置のｐ−ビット量の位置は、ＴｒＣＨのすべての可能なトランスポート・フォーマットについて同様である。
【００２１】
図２は、本発明の特徴を組み入れる例示的なブラインド・トランスポート・フォーマット検出プロセス２００の擬似コードを示す。一般に、ブラインド・トランスポート・フォーマット検出プロセス２００は、前述の従来の方法を使用して２つ以上の可能なトランスポート・フォーマット・コンビネーション（ＴＦＣ）が有効なＣＲＣを有する場合に実施される。したがって、図２に示されるブラインド・トランスポート・フォーマット検出プロセス２００は、単一のＴｒＣＨについて有効なＣＲＣで検出される２つ以上のトランスポート・フォーマットを区別するために使用される。
【００２２】
処理されたＴｒＣＨのＴＴＩ内のフレームごとに、ブラインド・トランスポート・フォーマット検出プロセス２００は最初、ステップ２１０において、指定されているＴｒＣＨメモリ・セグメント１１０のフレームの基底アドレスＡＢを獲得する。その後、ブラインド・トランスポート・フォーマット検出プロセス２００は、ステップ２２０において、最大サイズＴＦインデックスが０と等しく、最小サイズＴＦインデックスがＮ−１と等しくなるように、有効なＣＲＣを持つすべてのＮ個のトランスポート・フォーマットを降順にソートする。
【００２３】
次いで、ステップ２３０において、有効なＣＲＣを持つ各トランスポート・フォーマット・インデックスｉについて、ブラインド・トランスポート・フォーマット検出プロセス２００は、ＤＴＸアドレスの先頭ＡＤＴＸ（ｉ）を獲得する。（パンクチャのために）ｐ−ビットが存在する場合、ステップ２４０において、基底アドレスを以下のように更新する。
ＡＢ＝ＡＢ＋ｐ−ビットの数
ステップ２５０において、メモリは以下のようにサブセグメントに分割される
Ｓｅｇ（０）＝ＡＤＴＸ（１）．．．ＡＤＴＸ（０）
．．．
Ｓｅｇ（Ｎ−２）＝ＡＤＴＸ（Ｎ−１）．．．ＡＤＴＸ（Ｎ−２）
ステップ２６０において、参照セグメントが定義される
Ｓｅｇ（ｒｅｆ）＝ＡＢ．．．ＡＤＴＸ（Ｎ−１）
ステップ２７０において、参照セグメントのエネルギーが合計される
【００２４】
【数２】
2009539309.tif 000004
ここで、ｐ−ビットは、そのようなビットが積算ウィンドウに表示された場合に積算から除外される。図３と併せて以下でさらに説明されるように、参照セグメントはデータであることが知られており、Ｅｒｅｆはデータに関連付けられているエネルギーの参照をもたらす。
【００２５】
ステップ２８０において、ブラインド・トランスポート・フォーマット検出プロセス２００は、以下のように、しきい値Ｄを使用して非ＤＴＸエネルギーを検索する。
ｆｏｒ  ｉ＝０  ｔｏ  Ｎ−２
【００２６】
【数３】
2009539309.tif 000005
（存在する場合、ｐ−ビットを除外）
ｎ＝ｉ
ｉｆ  Ｅ／Ｅｒｅｆ＞Ｄ，  ｂｒｅａｋ
ｉｆ  ｎ＝Ｎ−２，  ｎ＝ｎ＋１
ｅｎｄ
【００２７】
このようにして、エネルギーは、ステップ２８０において各セグメントについて計算される。図３と併せて以下でさらに説明されるように、たとえば、Ｅ（０）がＥｒｅｆとほぼ等しい場合、セグメント０はデータである。一般に、このプロセスは、ＤＴＸおよびデータの遷移を識別する。前述のように、データからＤＴＸへの遷移点を識別することは、トランスポート・フォーマットへの１対１のマッピングをもたらす。ステップ２９０において、インデックスｎを持つトランスポート・フォーマットは、トランスポート・フォーマットとして選択される。
【００２８】
単一トランスポート・フォーマット検出のＴｒＣＨもまたＣＣＴｒＣＨに存在する場合、そのエネルギーは、全メモリ・セグメント１１０にわたるフレームごとに計算され、明示的検出のＴｒＣＨの参照セグメントに合わせて変倍され、データが伝送されたかどうかを判別するためにしきい値と比較されるものとする。
【００２９】
図３は、有効なＣＲＣを持つ３つの（Ｎ＝３）トランスポート・フォーマットがあるメモリ・セグメント３００に対する、例示的なブラインド・トランスポート・フォーマット検出プロセス２００の実行を示す。したがって、ブラインド・トランスポート・フォーマット検出プロセス２００は、有効なＣＲＣを持つ３つのポテンシャルトランスポート・フォーマットのいずれが正しいものであるかを判別する必要がある。図３に示されるように、０から２の間のｉに対して、ＡＤＴＸ（ｉ）は、３つの可能なトランスポート・フォーマットの各々についてＤＴＸフィールドの先頭の位置を識別する。上記で示されているように、参照セグメントＳｅｇ（ｒｅｆ）は、データエネルギーの参照を確立する上で役立つ。フレームの基底アドレスＡＢに近接する参照セグメントは、データであることが知られている。参照エネルギーは、３つの可能なトランスポート・フォーマットの各々についてＤＴＸフィールドの先頭によって作成された各ポテンシャル・セグメントのエネルギーと比較される。たとえば、ＡＤＴＸ（０）について、（図３で右から左に）基底アドレスＡＢとＡＤＴＸ（０）間のメモリ・セグメント３００の部分は、データであると考えられ、残りの部分はＤＴＸであると考えられる。Ｅ（０）がＥｒｅｆとほぼ等しい場合、トランスポート・フォーマットｉが選択される。
【００３０】
本発明の例示的な実施形態を、当業者には明らかであるように、デジタル論理ブロックに関して説明してきたが、さまざまな機能は、ソフトウェア・プログラムにおいて、回路素子または状態マシンによるハードウェアにおいて、またはソフトウェアとハードウェアの組み合わせにおいて、処理ステップとしてデジタル領域で実施することができる。そのようなソフトウェアは、たとえば、デジタル信号プロセッサ、マイクロ・コントローラ、または汎用コンピュータにおいて採用することができる。そのようなハードウェアおよびソフトウェアは、集積回路内に実施される回路で具現することができる。
【００３１】
したがって、本発明の機能は、それらの方法を実施するための方法および装置の形態で具現することができる。本発明の１つまたは複数の態様は、たとえば、記憶媒体に格納されるか、マシンにロードおよび／またはマシンによって実行されるか、または一部の伝送媒体を介して伝送されるかにかかわりなく、プログラム・コードの形態で具現することができ、そのプログラム・コードが、コンピュータのようなマシンにロードされて実行される場合、そのマシンが、本発明を実施するための装置となる。汎用プロセッサ上で実施される場合、プログラムコード・セグメントは、プロセッサと一体化して、固有の論理回路と同様に動作する装置を提供する。
【００３２】
本明細書に示され、説明される実施形態および変形は、本発明の原理を例示するものに過ぎず、さまざまな変更が、本発明の範囲および精神を逸脱することなく当業者によって実施されうることを理解されたい。
【図面の簡単な説明】
【００３３】
【図１】第１のインターリーバの例示的なメモリ・セグメンテーションを示す図である。
【図２】本発明の特徴を組み入れる例示的なブラインド・トランスポート・フォーマット検出プロセスの擬似コードを示す図である。
【図３】有効なＣＲＣを持つ３つのトランスポート・フォーマットがあるメモリ・セグメントに対する、図２の例示的なブラインド・トランスポート・フォーマット検出プロセスの実行を示す図である。
【図１】
2009539309.tif 000006
【図２】
2009539309.tif 000007
【図３】
2009539309.tif 000008
【手続補正書】
【提出日】平成21年7月31日(2009.7.31)
【手続補正１】
【補正対象書類名】特許請求の範囲
【補正対象項目名】全文
【補正方法】変更
【補正の内容】
【特許請求の範囲】
【請求項１】
情報を伝送するために使用されるトランスポート・フォーマットを判別するための方法であって、
前記伝送された情報に含まれる不連続伝送セグメントとデータ・セグメント間の遷移を識別するステップと、
前記不連続伝送セグメントの前記遷移の位置に基づいて前記トランスポート・フォーマットを判別するステップとを備える方法。
【請求項２】
前記識別するステップはさらに前記不連続伝送セグメントのサイズを判別するステップから成り、前記判別するステップは前記サイズに基づく請求項１に記載の方法。
【請求項３】
前記識別するステップはさらに、参照セグメントのエネルギーと相対的な前記データ・セグメントに関連付けられているエネルギーを判別するステップから成り、前記判別するステップは前記データ・セグメントに関連付けられている前記エネルギーに基づく請求項１に記載の方法。
【請求項４】
さらに複数の可能なトランスポート・フォーマットの巡回冗長検査を評価するステップを含み、前記識別するステップは、有効な巡回冗長検査を有するトランスポート・フォーマットに限り実行される請求項１に記載の方法。
【請求項５】
情報を伝送するために使用されるトランスポート・フォーマットを判別するためのシステムであって、
メモリと、
前記メモリに結合された少なくとも１つのプロセッサであって、
前記伝送された情報に含まれる不連続伝送セグメントとデータ・セグメント間の遷移を識別して、
前記不連続伝送セグメントの前記遷移の位置に基づいて前記トランスポート・フォーマットを判別するように動作するプロセッサとを備えるシステム。
【請求項６】
前記プロセッサはさらに、前記不連続伝送セグメントのサイズを判別するように構成され、前記判別するステップは前記サイズに基づく請求項５に記載のシステム。
【請求項７】
前記プロセッサはさらに、参照セグメントのエネルギーと相対的な前記データ・セグメントに関連付けられているエネルギーを判別するように構成され、前記判別は前記データ・セグメントに関連付けられている前記エネルギーに基づく請求項５に記載のシステム。
【請求項８】
前記プロセッサはさらに、複数の可能なトランスポート・フォーマットの巡回冗長検査を評価するように構成され、前記識別は、有効な巡回冗長検査を有するトランスポート・フォーマットに限り実行される請求項５に記載のシステム。
【請求項９】
情報を伝送するために使用されるトランスポート・フォーマットを判別するための方法であって、
複数の可能なトランスポート・フォーマットの巡回冗長検査を評価するステップと、
有効な巡回冗長検査を有するトランスポート・フォーマットの前記伝送された情報に含まれる不連続伝送セグメントとデータ・セグメント間の遷移を識別するステップと、
前記不連続伝送セグメントの前記遷移の位置に基づいて前記トランスポート・フォーマットを判別するステップとを備える方法。
【請求項１０】
前記識別するステップは、さらに前記不連続伝送セグメントのサイズを判別するステップから成り、前記判別するステップは前記サイズに基づく請求項９に記載の方法。
【国際調査報告】
2009539309.tif 000009
2009539309.tif 000010
2009539309.tif 000011